(57)【要約】【課題】外観を損なうことなく、装着時に前後の区別を容易に行うことができる吸収性物品を提供する。【解決手段】人体に接する内面側に配置された内面シート２と、内面シート２と反対側の外面側に配置された外面シート３と、内面シート２と外面シート３との間に介装された吸収体４と、を備え、装着時に装着者の腹側に位置する腹側部１Ａと、背側に位置する背側部１Ｂと、股下に位置する股下部１Ｃとに区分される使い捨てパンツタイプ紙おむつ１において、腹側部１Ａ又は背側部１Ｂの内部に、内面側から視認可能で外面側から視認できない識別シート７を設けた。【選択図】    図２
2005237782.tif 000002
【特許請求の範囲】
【請求項１】
人体に接する内面側に配置された内面シートと、前記内面シートと反対側の外面側に配置された外面シートと、前記内面シートと前記外面シートとの間に介装された吸収体と、を備え、
装着時に装着者の腹側に位置する腹側部と、背側に位置する背側部と、股下に位置する股下部とに区分される吸収性物品において、
前記腹側部又は前記背側部の内部に、前記内面側から視認可能で、前記外面側から視認できない識別部が設けられていることを特徴とする吸収性物品。
【請求項２】
前記識別部は、装着時に装着者の腰回り部を保持してなる腰回り開口部の近傍に設けられていることを特徴とする請求項１に記載の吸収性物品。
【請求項３】
前記外面シートが、前記腰回り開口部において前記内面シート側に折り返されて、折り返し部が形成され、
前記腹側部又は前記背側部のいずれか一方における前記折り返し部に、前記識別部が備えられていることを特徴とする請求項２に記載の吸収性物品。
【請求項４】
前記識別部の前記内面側に、当該吸収性物品の前後を示す識別情報が設けられていることを特徴とする請求項１〜３の何れか一項に記載の吸収性物品。
【請求項５】
前記識別部は、シートにより構成されていることを特徴とする請求項１〜４の何れか一項に記載の吸収性物品。
【請求項６】
前記識別部は、伸縮性を有することを特徴とする請求項５に記載の吸収性物品。
【請求項７】
前記識別部は、帯状に設けられていることを特徴とする請求項１〜６の何れか一項に記載の吸収性物品。
【発明の詳細な説明】
【技術分野】
【０００１】
本発明は、吸収性物品に関する。
【背景技術】
【０００２】
吸収性物品としての使い捨てパンツタイプの紙おむつの機能を確実に発揮させて、装着者が快適な装着感を得るためには、その前後向きを正しく装着する必要がある。
従来、紙おむつの前後向きを判断する手段として、例えば、使用後の廃棄を容易にするためにバックシートの背側部に設けられた後処理テープを、前後向きを判断するための目印として利用していた（例えば、特許文献１）。
【特許文献１】特開平８−１１７２７８号公報
【発明の開示】
【発明が解決しようとする課題】
【０００３】
しかし、特許文献１に挙げられる紙おむつにおいては、後処理テープが外面シート側に設けられていることによって後処理テープが目立ってしまい、下着らしさを失って、着用者に不快感を感じさせてしまうという問題があった。また、後処理テープが外面シート側に備えられているために剥がれ落ちてしまうこともあり、剥がれ落ちた後には、前後判断のための手段を失ってしまうという問題があった。そしてさらには、紙おむつ装着時には、脚を通す部分を広げて紙おむつ内部を覗き込む姿勢となるため、後処理テープが外面シート側に備えられていては視認しづらいという問題があった。
そこで、本発明の課題は、外観を損なうことなく、装着時に前後の区別を容易且つ確実に行うことができる吸収性物品を提供することである。
【課題を解決するための手段】
【０００４】
前述した課題を解決するために、請求項１に記載の発明は、人体に接する内面側に配置された内面シートと、前記内面シートと反対側の外面側に配置された外面シートと、前記内面シートと前記外面シートとの間に介装された吸収体と、を備え、装着時に装着者の腹側に位置する腹側部と、背側に位置する背側部と、股下に位置する股下部とに区分される吸収性物品において、前記腹側部又は前記背側部の内部に、前記内面側から視認可能で、前記外面側から視認できない識別部が設けられていることを特徴とする。
【０００５】
請求項２に記載の発明は、請求項１に記載の吸収性物品において、前記識別部は、装着時に装着者の腰回り部を保持してなる腰回り開口部の近傍に設けられていることを特徴とする。
【０００６】
請求項３に記載の発明は、請求項２に記載の吸収性物品において、前記外面シートが、前記腰回り開口部において前記内面シート側に折り返されて、折り返し部が形成され、前記腹側部又は前記背側部のいずれか一方における前記折り返し部に、前記識別部が備えられていることを特徴とする。
【０００７】
請求項４に記載の発明は、請求項１〜３の何れか一項に記載の吸収性物品において、前記識別部の前記内面側に、当該吸収性物品の前後を示す識別情報が設けられていることを特徴とする。
【０００８】
請求項５に記載の発明は、請求項1〜４の何れか一項に記載の吸収性物品において、前記識別部は、シートにより構成されていることを特徴とする。
【０００９】
請求項６に記載の発明は、請求項５に記載の吸収性物品において、前記識別部は、伸縮性を有することを特徴とする。
【００１０】
請求項７に記載の発明は、請求項１〜６の何れか一項に記載の吸収性物品において、前記識別部は、帯状に設けられていることを特徴とする。
【発明の効果】
【００１１】
請求項１に記載の発明によれば、腹側部又は背側部の内部に、内面側からの視認が可能で、外面側からの視認できない識別部が設けられることとなる。
これにより、内面側から識別部を視認することができ、装着時に前後の区別を容易に行うことができる。そのため、前後を間違わずに装着することが可能となり、快適な装着感を得ることができる。
また、識別部は、内面側からは視認し易く、外面側からは視認できないこととなる。これにより、装着時に前後の区別を容易に行うことができるのみならず、吸収性物品が下着らしさを備えることとなって外観を損なわず、外出先などで他人に見られることによる不快感を低減することができる。
さらに、吸収性物品を装着するにあたって、吸収性物品の腰回り開口部を広げて、該開口部から吸収性物品を覗き込んだ際に、内面側から視認可能に配されている識別部を容易に確認することができ、着用の動作をスムーズに行うことができる。
そして、識別部が、腹側部又は背側部の内部に設けられていることによって、識別部が肌に直接触れることがなくなり、肌トラブルを発生させること無く快適な装着感が得られるのみならず、剥がれたりめくれたりすることがなくなり、確実に、有効に利用することができる。
【００１２】
請求項２に記載の発明によれば、識別部が装着時に装着者の腰回り部を保持してなる腰回り開口部の近傍に設けられることなる。
これにより、請求項１記載の発明と同様の効果が得られることは無論のこと、特に、該開口部から吸収性物品を覗き込んだ際に、腹側部又は背側部の内部に配されている識別部をより容易に視認できることとなって、装着時に前後の区別をさらに容易に行うことができる。
【００１３】
請求項３に記載の発明によれば、外面シートが折り返されることによって形成される折り返し部に識別部が設けられることとなる。
これにより、請求項２記載の発明と同様の効果が得られることは無論のこと、特に、折り返し部に識別部が設けられることによって、より確実に、識別部が肌に直接触れることがなくなり、肌トラブルを発生させることなく快適な装着感が得られるのみならず、剥がれたりめくれたりすることがなくなり、確実に、有効に利用することができる。
【００１４】
請求項４に記載の発明によれば、識別部に前後を示す識別情報が設けられていることとなる。
これにより、請求項１〜３の何れか一項に記載の発明と同様の効果が得られることは無論のこと、特に、識別部の存在のみならず、識別情報によっても吸収性物品の前後を判断することが可能となり、より確実に前後の区別を行うことができる。
【００１５】
請求項５に記載の発明によれば、識別部がシートによって構成されていることとなる。
これにより、請求項１〜４の何れか一項に記載の発明と同様の効果が得られることは無論のこと、特に、シートを貼り付けるだけで識別部が構成されるので、識別部として新たな部材を追加しても比較的容易に製造することができる。
【００１６】
請求項６に記載の発明によれば、識別部であるシートが伸縮性を有することとなる。
これにより、請求項５記載の発明と同様の効果が得られることは無論のこと、特に、シートが、腰回り開口部に略沿って配された弾性部材としての機能をも有することとなり、シートが配された位置に、別途弾性部材を備えずとも、腰回り開口部の人体へのフィット感を実現することができる。そのため、弾性部材を省略することができることとなって、シートを備えたとしても部品の数を増加させることなく、製造上のコストアップを抑制することができる。
【００１７】
請求項７に記載の発明によれば、識別部が帯状に設けられることとなる。
これにより、請求項１〜６の何れか一項に記載の発明と同様の効果が得られることは無論のこと、特に、装着者は、より広い範囲から前後判断の為の情報を取得することができることとなり、さらに容易に前後の区別を行うことができる。
【発明を実施するための最良の形態】
【００１８】
（実施形態１）
以下、本発明の実施形態１を、図面を参照しながら詳細に説明する。
本実施形態においては、吸収性物品としての使い捨てパンツタイプ紙おむつを一例として説明する。
図１は、本願発明の使い捨てパンツタイプ紙おむつを適用した実施形態１の使い捨てパンツタイプ紙おむつの斜視図である。図２は、図１の一部を展開した斜視図である。図３は、図１のＡ−Ａ´線における断面図であって、図４は図１のＢ方向からの斜視図である。
尚、図１においては、識別シート７の説明を行う便宜上、識別シート７を実線で示しているが、実際には、最上面に位置するシート（外面シート）の内側に配されている。
【００１９】
図１〜４に示すように、使い捨てパンツタイプ紙おむつ（以下「紙おむつ」という）１は、人体に接する内面側に配置された内面シート２と、内面シート２と反対側の外面側に配置された外面シート３と、内面シート２と外面シート３との間に介装された吸収体４と、ギャザー押さえシート１１、漏れ防止シート１２、防水シート１３、複数の弾性部材９１、９２、９３、識別部としての識別シート７、等を備える。
【００２０】
また、紙おむつ１は、装着時に装着者の腹側に位置する腹側部１Ａと、背側に位置する背側部１Ｂと、股下に位置する股下部１Ｃとに区分され、装着者の腰回りを保持する腰回り部５０を形成する一箇所の腰回り開口部５と、装着者の脚回りを保持してなる脚回り部６０を形成する二箇所の脚回り開口部６、６を有する。
【００２１】
内面シート２は、紙おむつ１を装着した際に人体に接する内面側に配置され、体液を受けて、吸収体４まで輸送する役割を果たす、透液性のシートである。
透液性シートとしては、例えば、有孔または無孔の不織布や、多孔性プラスチックシートなどにより形成されるものが挙げられる。不織布を構成する素材繊維としては、天然繊維、化学繊維のいずれを用いてもよい。
天然繊維の例としては、綿、セルロース（木材パルプ）、羊毛、絹、麻等が挙げられる。
また、化学繊維の例としては、ポリエチレン（ＰＥ）やポリプロピレン（ＰＰ）等のオレフィン系、ポリエステル（ＰＥＴ）を含むポリエステル系、ナイロンやアラミド等のポリアミド系、ポリアクリロニトリル（ＰＡＮ）等のアクリル系といった合成繊維の他、レーヨンやキュプラ等の再生繊維、酢酸セルロースやプロミックス等の半合成繊維等を挙げることができる。また、ＰＥ／ＰＰ混合不織布、ＰＥ／ＰＥＴ混合不織布の他、上記素材を適宜組み合わせたバイコンポーネント繊維（混合繊維）等も用いることができる。
【００２２】
これらの繊維素材から不織布を製造する方法としては、公知の方法を適宜用いることができ、例えば、高圧水流で繊維同士を絡ませて接合させるウォーターパンチ法や、繊維を製紙と同様の方法で製造する抄紙法等の湿式法、接着剤で接合させるケミカルボンド法や、低融点ポリマー及び自己溶融繊維で接合させるサーマルボンド法等の乾式法、特殊針でニードリングして接合させるニードルパンチ法、ポリマー溶液を口金より噴出させ、網状フィブリルを形成させるフラッシュ紡糸法などの直接式法等の方法が挙げられる。また、これらの方法を組み合わせた方法等によっても不織布を製造することができる。
【００２３】
外面シート３は、紙おむつ１を装着した際に人体に接する面と反対側の外面側に配置され、体液などの紙おむつ１外部への染み出し、漏れ出しを防ぐ役割を果たす、透液性若しくは不透液性を有するシートである。
透液性シートとしては、内面シート２で挙げたシート等を用いることができる。
不透液性シートとしては、例えば、ポリエチレン等の少なくとも遮水性を有するシート材であって、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
またその他にも、不透液性を有するフィルム層と、通気性を有する不織布層からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００２４】
吸収体４は、例えば、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）等により覆われて構成されている。吸収体４は、単層構造であっても良いし、複数層に分かれた構造でも構わない。吸収体４は、人体の腹側部１Ａから両脚の間の股下部１Ｃを通り、背側部１Ｂに亘る位置に装着されている。
【００２５】
ギャザー押さえシート１１は、外面シート３の内側に配された、腹回りギャザーとしての弾性部材９２及び脚回りギャザーとしての弾性部材９３を押さえ込んで、紙おむつ１の未使用時及び使用時の、弾性部材９２、９３のずれやよれを防ぐ働きをなす。
ギャザー押さえシート１１としては、透液性シート、不透液性シートのいずれを用いてもよく、透液性シートを用いる場合は、例えば、内面シート２で挙げたシートを用いることができ、不透液性シートを用いる場合は、例えば、外面シート３で挙げたシートを用いることができる。
【００２６】
漏れ防止シート１２は、紙おむつ１装着時に装着者の腰回りに配される不透液性のシートであって、吸収体４が吸収しきれなかった体液、若しくは一旦吸収体４が吸収した後、体圧などにより染み出した体液の、紙おむつ１外部への漏れ出しを防止するのみならず、腰回りギャザーとしての弾性部材９１を上面から押さえ込んで、紙おむつ１の未使用時及び使用時の、弾性部材９１のずれやよれを防ぐ働きをなす。
不透液性シートとしては、外面シート３で挙げたシート等を用いることができる。
【００２７】
防水シート１３は、不透液性を有し、吸収体４が吸収した体液の、紙おむつ１外部への漏れ出しを防止するシートであって、外面シート３で挙げたシート等を用いることができる。
【００２８】
腰回りギャザーとしての弾性部材９１は、腰回り開口部５の近傍の腰回り部５０に設けられ、腹回りギャザーとしての弾性部材９２は、弾性部材９１の下方の腰回り部５０に設けられている。脚回りギャザーとしての弾性部材９３は、脚回り開口部６近傍の脚回り部６０に設けられている。
これらの弾性部材９１、９２及び９３が施されていることにより、腰回り及び脚回りで紙おむつ１が好適に密着することとなり、フィット感を上げることが実現するのみならず、腰回り開口部５及び脚回り開口部６、６からのモレを防ぎ、使用感を向上させることができる。
腰回りギャザーとしての弾性部材９１、腹回りギャザーとしての弾性部材９２、脚回りギャザーとしての弾性部材９３としては、例えば糸ゴムを利用することができる。
【００２９】
次に、本発明の特徴である識別シート７について説明する。
図２は、図１の一部を展開した斜視図である。詳細には、背側部１Ｂに位置する識別シート７近傍の、外面シート３が腰回り開口部５において内面シート２側に折り返されて形成される折り返し部８を、腰回り開口部５方向に開き返し、該開き返された折り返し部８の内側に位置する漏れ防止シート１２を吸収体４側に引き下ろして弾性部材９１を露出させた図である。
【００３０】
図１、４に示すように、識別シート７は、折り返し部８の非肌当接面に設けられており、内面側からは視認可能で、外面側からの視認ができないようになっている。
識別シート７としては、例えば、通気性又は非通気性を有するポリエチレンフィルムを、重量として、２０〜３０ｇ／ｍ2程度、用いることができる。その他にもクレープ紙やスパンボンド法により製造された不織布等、素材表面への印刷が可能で、柔軟性を備える素材を用いることができる。
【００３１】
また、識別シート７には、前後判断のための識別情報として、識別シート７の内面側の面（以下、「識別部内側面」という。）７１に、紙おむつの「後側」を意味する文字「うしろ」の表示が設けられる。
【００３２】
さらに、識別シート７には着色が施される。折り返し部８に配された際に、識別部内側面７１と、識別シート７の外面側の面（以下、「識別部外側面」という。）７２には同一の色が施されても良いし、異なる色が施されても構わない。本実施例においては、識別部内側面７１には、装着者や介護者の注意を惹く色として、例えばオレンジ色を、識別部外側面７２には、周辺部材（例えば、外面シート３や弾性部材９１等）の近似色として、例えば白色が施される。
【００３３】
以上に説明した実施形態１に係る紙おむつ１によると、識別シート７が備えられることによって、装着時に前後の区別を容易に行うことができる。そのため、前後を間違わずに装着することが可能となり、快適な装着感を得ることができる。
また、識別シート７が、外面シート３を内面シート２側に折り返すことによって形成される折り返し部８に備えられていることによって、内面側からは識別シート７を視認し易く、外面側からは視認しづらく目立たないこととなる。これにより、外観を損なわずに下着らしさを備えることとなって、外出先などで他人に見られることによる不快感を低減することができる。
さらに、紙おむつ１を装着するにあたって、紙おむつ１の腰回り開口部５を広げて、上側から紙おむつ１を視認した際に、内側に配されている識別シート７を容易に確認することができ、着用の動作をスムーズに行うことができる。
その上、識別シート７が、折り返し部８の非肌当接面側に備えられていることによって、識別シート７が肌に直接触れることがなくなり、肌トラブルを発生させること無く快適な装着感が得られるのみならず、折り返し部８によって識別シート７上面より抑え込まれているため、剥がれたり、めくれたりすることがない。
そして、識別シート７の識別部内側面７１に施された前後表示を示す識別情報や、識別部外側面７２に施された装着者や介護者の注意を引く色によって、内面シート２側から、印刷情報を読取ることができる。これにより、識別シート７の存在のみならず、印刷された情報からも前後判断を行うことができ、より確実に前後の判断を行うことができる。
【００３４】
尚、吸収性物品として、使い捨てパンツタイプ紙おむつに限られることはなく、おむつカバーなどの、吸収体と共に使用するタイプのおむつ等へ本発明を適用しても良い。
また、識別シートは腹側部に設けても良く、その場合、背側部に設けた効果に併せて、特に、外出先などでの装着時において、背後から視認される場合に、識別シートを見られることがなくなるため、不快感を取り除くことができる。
【００３５】
＜変形例１＞
図５に、実施形態１における変形例１の紙おむつ２０の斜視図を、図６に図５のＣ−Ｃ´線における断面図を示した。
図５及び図６に示す変形例１の紙おむつ２０は、外面シート３及び漏れ防止シート１２が実施形態１の紙おむつ１と異なる。従って、変形例１を説明するにあたり、上記実施形態１と同様の構成については、同一の符号を付し、詳細な説明は省略する。
【００３６】
図５及び図６に示すように、紙おむつ２０は、腰回り開口部５において内面シート２側に折り返された外面シート２３が、腰回りギャザーとしての弾性部材９１及び腹回りギャザーとしての弾性部材９２を上面から覆って押さえ込み、さらに吸収体４を覆う内面シート２の上面を一部覆ってなる。
識別シート７は、図６に示すように、折り返された外面シート３と腰回りギャザーとしての弾性部材９１との間に挟み込まれてなる。
【００３７】
図５及び図６に示す紙おむつ２０によると、漏れ防止シートを備えることなく、不透液性の外面シート２３を延出させ、吸収体４の一部上面を覆うことによって、吸収体４が吸収しきれなかった体液、若しくは一旦吸収体４が吸収した後、体圧などにより染み出した体液の、紙おむつ２０外部への漏れ出しを防止することができる。
これにより、紙おむつ２０を製造するための部材を減らすことができる。
【００３８】
＜変形例２＞
図７に、実施形態１における変形例２の紙おむつ３０の斜視図を、図８に図７のＤ−Ｄ´線における断面図を示した。
図７及び図８に示す変形例２の紙おむつ３０は、識別シートの位置が実施形態１の紙おむつ１と異なる。従って、変形例２を説明するにあたり、上記実施形態１と同様の構成については、同一の符号を付し、詳細な説明は省略する。
【００３９】
図７及び図８に示すように、紙おむつ３０の識別シート３７は、その一部を漏れ防止シート１２とギャザー押さえシート１１の間に、残りの部分を漏れ防止シート１２と腰回りギャザーとしての弾性部材９１との間に挟み込んで設けられる。従って、内面側より視認すると、腰回りギャザーとしての弾性部材９１と、腹回りギャザーとしての弾性部材９２の両方の上面に亘って位置することとなる。また、識別シート３７は、紙おむつ３０の幅方向（腹側部１Ａから股下部１Ｃを亘って背側部１Ｂに至る方向と略直交する方向）中心よりも左方向にずらして設けられる。
【００４０】
＜変形例３＞
図９に、実施形態１における変形例３の紙おむつ４０の斜視図を、図１０に図９のＥ−Ｅ´線における断面図を示した。
図９及び図１０に示す変形例３の紙おむつ４０は、識別シートの位置が実施形態１の紙おむつ１と異なる。従って、変形例３を説明するにあたり、上記実施形態１と同様の構成については、同一の符号を付して説明を省略する。
【００４１】
図９及び図１０に示すように、紙おむつ４０の識別シート４７は、漏れ防止シート１２と、ギャザー押さえシート１１との間に挟み込まれてなる。より詳細には、識別シート４７が、漏れ防止シート１２と、ギャザー押さえシート１１との間であって、腹回りギャザーとしての弾性部材９３よりも内側に位置するよう設けられる。また、識別シート４７は、紙おむつ４０の幅方向（腹側部１Ａから股下部１Ｃを亘って背側部１Ｂに至る方向と略直交する方向）中心よりも右方向にずらして設けられる。
【００４２】
（実施形態２）
次いで、実施形態２に係る使い捨てパンツタイプ紙おむつ１００について、図面を用いて説明する。
図１１は本実施形態２の使い捨てパンツタイプ紙おむつ（以下「紙おむつ」という。）１００の斜視図である。図１２は、図１１のＦ−Ｆ´線における断面図である。
図１１に示す紙おむつ１００は、帯状識別シート１０７が実施形態１の紙おむつ１と異なる。従って、実施形態２を説明するにあたり、上記実施形態１と同様の構成については、同一の符号を付し、説明は省略する。
【００４３】
図１１及び図１２に示すように、紙おむつ１００は装着者が装着した際に、装着者の腹側に位置する腹側部１００Ａと、背側に位置する背側部１００Ｂと、腹側部１００Ａと背側部１００Ｂとの間に位置するとともに、股下に位置する股下部１００Ｃとに区分される。
紙おむつ１００において、識別部としての帯状識別シート１０７は、背側部１００Ｂにおいて弾性部材９１と当接している。
より詳細には、背側部１００Ｂにおいて、外面シート３の内側、即ち、内面シート２側に腰回りギャザーとしての弾性部材９１が位置し、弾性部材９１の内側に帯状識別シート１０７が位置し、帯状識別シート１０７の内側に、漏れ防止シート１２、外面シート３の折り返し部８、の順で位置してなる。帯状識別シート１０７の漏れ防止シート１２当接面である識別部内側面１７１には、前後を区別するための情報として、紙おむつの「後側」を意味する文字「うしろ」の表示が設けられる。
【００４４】
以上に説明した実施形態２に係る紙おむつ１００によると、背側部１００Ｂの腰回りギャザーとしての弾性部材９１と同位置に帯状識別シート１０７が備えられることとなる。
つまり、前後を区別するための情報を、より広範囲、即ち、幅と長さを有する帯状識別シート１０７より得られることとなって、さらに容易且つ確実に前後の区別を行うことができる。
【００４５】
尚、本実施形態においては、腹側部１００Ａ側には、帯状識別シートを設けずに弾性部材９１のみを設けたが、背側部１００Ｂと同様に、帯状識別シートを設けて、例えば「前側」を意味する文字「まえ」を設けても構わない。
【００４６】
＜変形例１＞
図１３に、実施形態２における変形例１の紙おむつの斜視図を、図１４に図１３のＧ−Ｇ´線における断面図を示した。
図１３に示す変形例１の紙おむつ２００は、識別部としての帯状識別シート２０７の位置が実施形態２の紙おむつ１００と異なる。従って、変形例１を説明するにあたり、上記実施形態２と同様の構成については、同一の符号を付し、詳細な説明は省略する。
【００４７】
図１３及び図１４に示すように、紙おむつ２００において、帯状識別シート２０７は、背側部１００Ｂの、外面シート３の内側、即ち、内面シート２側であって、漏れ防止シート１２との間に位置する。
また、帯状識別シート２０７の識別部内側面２７１には、前後判断のための情報として、紙おむつ２００の「後側」を意味する文字「うしろ」の表示が設けられる。
帯状識別シート２０７は、例えば、ウレタンフィルム、天然糸ゴム（平ゴム）等の伸縮性フィルム、等の伸縮性を有する材料により構成されている。従って、背側部１００Ｂの、伸縮性を有する帯状部材が配された領域には、腰回りギャザーとしての弾性部材は配されず、腹側部１００Ａにのみ、腰回りギャザーとしての弾性部材２９１が配される。
【００４８】
図１３の紙おむつ２００によると、帯状識別シート２０７が前後判断のための情報を有するのみならず、腰回り開口部５に略沿って配された伸縮性部材としての機能も有することとなる。従って、帯状識別シート２０７が配された位置に、別途弾性部材を備えずとも、腰回り開口部５の人体へのフィット感を実現することができる。
これにより、弾性部材を省くことができ、帯状識別シート２０７を備えたとしても、製造上のコストアップを抑制することができる。
【００４９】
図１５に、実施形態２における変形例２の紙おむつの斜視図を、図１６に図１５のＨ−Ｈ´線における断面図を示した。
図１５に示す変形例２の紙おむつ３００は、帯状識別シートの位置が実施形態２の紙おむつ１００と異なる。従って、変形例２を説明するにあたり、上記実施形態２と同様の構成については、同一の符号を付し、詳細な説明は省略する。
【００５０】
図１５及び図１６に示すように、紙おむつ３００において、帯状識別シート３０７は、背側部１００Ｂの外面シート３の内側、即ち、内面シート２側であって、ギャザー押さえシート１１との間に位置する。
また、帯状識別シート３０７の識別部内側面３７１には、前後判断のための情報として、紙おむつ３００の「後側」を意味する「うしろ」の表示が設けられる。
帯状識別シート３０７は、帯状識別シート２０７で説明した素材と同様の素材で構成されているため、伸縮性を有する。従って、帯状識別シート３０７が配される背側部１００Ｂにおいては、帯状識別シート３０７が位置する領域には腹回りギャザーとしての弾性部材は配されず、帯状識別シート３０７が位置する領域以外の領域に、腹回りギャザーとしての弾性部材３９２が配される。また、腹側部１００Ａには腹回りギャザーとしての弾性部材３９２が配される。
【００５１】
図１５の紙おむつ３００によると、帯状識別シート３０７が前後判断のための情報を有するのみならず、腹回りを保持してなる弾性部材としての機能も有することとなる。従って、帯状識別シート３０７が配された位置に、別途弾性部材を備えずとも、紙おむつ３００の、装着者の腹回りへのフィット感を実現することができる。
これにより、弾性部材を省くことができ、帯状識別シート３０７を備えたとしても、製造上のコストアップを抑制することができる。
【００５２】
尚、本発明の識別部を紙おむつ等に設ける際には、上記実施の形態の様に、識別シート等の別部材としても構わないが、漏れ防止シート等に直接模様等を付け構成してもよい。
また、識別シートへの着色は、装着者や介護者の注意を惹くためになされるが、識別シート自体が色彩を有する場合には、識別シートに着色を施すことなく、識別シート７が有する色彩を用いても良い。
さらに、識別シートや帯状識別シートに設ける識別情報としては、「うしろ」や「まえ」等に限られることなく、例えば、前後判断を可能とするデザインやロゴ、模様等であっても構わない。
【図面の簡単な説明】
【００５３】
【図１】本願発明の吸収性物品を適用した実施形態１の使い捨てパンツタイプ紙おむつの斜視図である。
【図２】図１の一部を展開した斜視図である。
【図３】図１のＡ−Ａ´線での断面図である。
【図４】図１のＢ方向からの斜視図である。
【図５】図１の変形例１の斜視図である。
【図６】図５のＣ−Ｃ´線での断面図である。
【図７】図１の変形例２の斜視図である。
【図８】図７のＤ−Ｄ´線での断面図である。
【図９】図１の変形例３の斜視図である。
【図１０】図９のＥ−Ｅ´線での断面図である。
【図１１】本願発明の吸収性物品を適用した実施形態２の使い捨てパンツタイプ紙おむつの斜視図である。
【図１２】図１１のF−F´線での断面図である。
【図１３】図１１の変形例１の斜視図である。
【図１４】図１３のG−G´線での断面図である。
【図１５】図１１の変形例２の斜視図である。
【図１６】図１５のＨ−Ｈ´線での断面図である。
【符号の説明】
【００５４】
１、２０、３０、４０、１００、２００、３００  使い捨てパンツタイプ紙おむつ
１Ａ、１００Ａ  腹側部
１Ｂ、１００Ｂ  背側部
１Ｃ、１００Ｃ  股下部
２  内面シート
３、２３  外面シート
４  吸収体
５  腰回り開口部
５０  腰回り部
６  脚回り開口部
６０  脚回り部
７、３７、４７、１０７  識別シート
２０７、３０７  帯状識別シート
７１、１７１、２７１、３７１  識別部内側面
７２  識別部外側面
８    折り返し部
９１、９２、９３、２９１、３９２  弾性部材
１１  ギャザー押さえシート
１２  漏れ防止シート
１３  防水シート
【図１】
2005237782.tif 000003
【図２】
2005237782.tif 000004
【図３】
2005237782.tif 000005
【図４】
2005237782.tif 000006
【図５】
2005237782.tif 000007
【図６】
2005237782.tif 000008
【図７】
2005237782.tif 000009
【図８】
2005237782.tif 000010
【図９】
2005237782.tif 000011
【図１０】
2005237782.tif 000012
【図１１】
2005237782.tif 000013
【図１２】
2005237782.tif 000014
【図１３】
2005237782.tif 000015
【図１４】
2005237782.tif 000016
【図１５】
2005237782.tif 000017
【図１６】
2005237782.tif 000018